(57)【要約】  【課題】回路図設計者以外でも容易に各部品間の接続条件などを把握することのできるようにする接続条件紹介システムを提供すること。  【解決手段】部品の接続条件を紹介するための接続条件紹介システムにおいて、少なくとも３つの部品を結ぶ信号線の交点とこれら部品との接続条件に関する情報を記憶するための接続条件記憶手段１５と、接続条件記憶手段１５に記憶されている接続条件に関する情報に基づいて、部品の接続条件を使用者に紹介する接続条件紹介手段とを装備する。  【選択図】  図１
2005070902.tif 000002
【特許請求の範囲】
【請求項１】
部品の接続条件を紹介するための接続条件紹介システムにおいて、
少なくとも３つの部品を結ぶ信号線の交点とこれら部品との接続条件に関する情報を記
憶するための接続条件記憶手段と、
該接続条件記憶手段に記憶されている接続条件に関する情報に基づいて、部品の接続条
件を使用者に紹介する接続条件紹介手段とを備えていることを特徴とする接続条件紹介シ
ステム。
【請求項２】
前記接続条件記憶手段が、前記交点以外の接続先との接続条件に関する情報についても
記憶し得るように構成されていることを特徴とする請求項１記載の接続条件紹介システム
。
【請求項３】
接続条件を設定する箇所を選択するための第１の選択手段と、
接続条件を設定するための設定手段と、
前記第１の選択手段により選択された箇所に対応づけて、前記設定手段により設定され
た接続条件に関する情報を前記接続条件記憶手段へ記憶させる記憶制御手段とを備え、
前記第１の選択手段による選択、及び前記設定手段による設定が、使用者が操作可能な
入力装置からの情報に基づいて行われるように構成されていることを特徴とする請求項１
又は請求項２記載の接続条件紹介システム。
【請求項４】
回路図上で接続条件が設定されている箇所と、接続条件が設定されていない箇所とで表
示の差別化を行う第１の表示手段を備えていることを特徴とする請求項１〜３のいずれか
の項に記載の接続条件紹介システム。
【請求項５】
前記第１の表示手段が、接続条件が設定されている箇所の信号線上、又は該信号線付近
に第１の所定マークを表示するものであることを特徴とする請求項４記載の接続条件紹介
システム。
【請求項６】
前記第１の表示手段が、接続条件が設定されている箇所の信号線の表示形態を、接続条
件が設定されていない箇所の信号線の表示形態と異なるように表示するものであることを
特徴とする請求項４又は請求項５記載の接続条件紹介システム。
【請求項７】
前記第１の表示手段が、接続条件が設定されている各箇所それぞれを識別するための識
別符号を、各箇所それぞれの信号線上、又は該信号線付近に表示するものであることを特
徴とする請求項４〜６のいずれかの項に記載の接続条件紹介システム。
【請求項８】
接続条件を紹介する箇所を選択するための第２の選択手段を備え、
前記接続条件紹介手段が、前記第２の選択手段により選択された箇所に対応する接続条
件に関する情報を前記接続条件記憶手段から読み出し、読み出した情報に基づいて前記箇
所に対応する接続条件を使用者に紹介するものであり、
前記第２の選択手段による選択が、使用者が操作可能な入力装置からの情報に基づいて
行われるように構成されていることを特徴とする請求項１〜７のいずれかの項に記載の接
続条件紹介システム。
【請求項９】
前記入力装置がポインティングデバイスであり、
回路図上で前記第２の選択手段がポインタで示されている位置を、接続条件を紹介する
箇所として選択するものであることを特徴とする請求項８記載の接続条件紹介システム。
【請求項１０】
プリント基板設計図上における部品の配置状態を求める配置状態算出手段と、
該配置状態算出手段により求められた部品の配置状態、及び部品の配置条件に関する情
報を記憶するための配置条件記憶手段に記憶されている情報に基づいて、設計図上におけ
る部品の配置状態と部品の配置条件とを比較する比較手段とを備えた、プリント基板の設
計を支援するための設計支援システムにおいて、
前記配置状態算出手段が、上記請求項１〜９のいずれかの項に記載の接続条件紹介シス
テムに備えられた前記接続条件記憶手段に記憶されている、接続条件が設定されている箇
所における接続状態を求める機能を有し、
前記比較手段が、前記箇所に設定されている接続条件と前記接続状態とを比較する機能
を有していることを特徴とする設計支援システム。
【請求項１１】
プリント基板の設計を支援するための設計支援システムにおいて、
プリント基板設計図上で、上記請求項１〜９のいずれかの項に記載の接続条件紹介シス
テムに備えられた前記接続条件記憶手段に記憶されている、接続条件が設定されている箇
所に対応する位置と、前記箇所に対応しない位置とで表示の差別化を行う第２の表示手段
を備えていることを特徴とする設計支援システム。
【請求項１２】
前記第２の表示手段が、接続条件が設定されている箇所に対応する位置の信号線上、又
は該信号線付近に第２の所定マークを表示するものであることを特徴とする請求項１１記
載の設計支援システム。
【請求項１３】
前記第２の表示手段が、接続条件が設定されている箇所に接続される部品の端子上に第
３の所定マークを表示するものであることを特徴とする請求項１１記載の設計支援システ
ム。
【請求項１４】
前記第２の表示手段が、接続条件が設定されている箇所に接続される部品の端子から所
定の距離のところに第４の所定マークを表示するものであることを特徴とする請求項１１
記載の設計支援システム。
【請求項１５】
接続条件に設定されている箇所に接続される部品の接続先がバイアホールとなる場合、
前記第２の表示手段が、前記バイアホール上に第５の所定マークを表示するものであるこ
とを特徴とする請求項１１記載の設計支援システム。
【請求項１６】
前記第２の表示手段が、接続条件が設定されている箇所に対応する各位置それぞれを識
別するための識別符号を、各位置それぞれの信号線上、又は該信号線付近に表示するもの
であることを特徴とする請求項１１〜１５のいずれかの項に記載の設計支援システム。
【請求項１７】
プリント基板設計図上における部品の配置状態を求める配置状態算出手段と、
該配置状態算出手段により求められた部品の配置状態、及び部品の配置条件に関する情
報を記憶するための配置条件記憶手段に記憶されている情報に基づいて、設計図上におけ
る部品の配置状態と部品の配置条件とを比較する比較手段とを備え、
前記配置状態算出手段が、接続条件が設定されている箇所における接続状態を求める機
能を有し、
前記比較手段が、前記箇所に設定されている接続条件と前記接続状態とを比較する機能
を有していることを特徴とする請求項１１〜１６のいずれかの項に記載の設計支援システ
ム。
【請求項１８】
前記比較手段による比較結果を使用者へ紹介する比較結果紹介手段を備えていることを
特徴とする請求項１０又は請求項１７記載の設計支援システム。
【請求項１９】
前記比較結果紹介手段が、テキスト出力することによって前記比較結果を使用者へ紹介
するものであることを特徴とする請求項１８記載の設計支援システム。
【請求項２０】
前記比較結果紹介手段が、前記比較結果に基づいて、該比較結果を付してプリント基板
設計図を表示するものであることを特徴とする請求項１８記載の設計支援システム。
【発明の詳細な説明】
【技術分野】
【０００１】
本発明はプリント基板設計を行うＣＡＤ（computer aided design ）装置に採用される
接続条件紹介システム、及び設計支援システムに関し、より詳細には、回路図設計者以外
でも容易に各部品間の接続条件などを把握することのできるようにする接続条件紹介シス
テム、及びプリント基板の設計を支援する設計支援システムに関する。
【背景技術】
【０００２】
ＣＡＤ装置を使ってのプリント基板の設計は、ディスプレイ上に部品を配置し、回路図
のネットデータ（部品番号、ピン番号、結線番号で構成される結線情報データ）に基づい
て、接続部品ピン間を結ぶことによって行われる。図１４は、従来のＣＡＤ装置における
回路図設計の表示画面の一例を部分的に示した図である。ダイオードＤ１の２番ピン、コ
ンデンサＣ１の２番ピン、抵抗Ｒ１の１番ピン、及び抵抗Ｒ２の１番ピンは交点Ｑ（符号
Ｑは表示画面上には表示されない）を有する同一の結線で接続されている。また、ダイオ
ードＤ１の１番ピンはコネクターＣＮ１に接続され、コンデンサＣ１の１番ピンは接地さ
れ、抵抗Ｒ１の２番ピンは電源に接続されている。
【０００３】
図１５は、従来のＣＡＤ装置におけるプリント基板設計の表示画面の一例を部分的に示
した図であり、図１４に示した回路図のネットデータに基づいて、設計されたプリント基
板設計図が示されている。図中１ａ〜１ｈは各部品をプリント基板上に実装するためのラ
ンドを示しており、ランド１ａ、１ｃ、１ｆ、１ｈそれぞれは信号線２ａ、２ｃ、２ｆ、
２ｈに接続され、ランド１ｂ、１ｄ、１ｅ、１ｇは同一の信号線２ｂに接続されている。
なお、符号１ａ〜１ｈ、２ａ〜２ｃ、２ｆ、２ｈは表示画面上には表示されない。
【０００４】
図１４に示した回路図設計の表示画面から分かるように、回路図から各部品の接続先を
把握することができる。例えば、ダイオードＤ１の２番ピン、コンデンサＣ１の２番ピン
、抵抗Ｒ１の１番ピン、及び抵抗Ｒ２の１番ピンは同一の信号線で接続されており、ダイ
オードＤ１、コンデンサＣ１、抵抗Ｒ１、及び抵抗Ｒ２が同じネットに存在していること
を把握することができる。
【０００５】
ところで、近年のプリント基板はＥＭＩ（electromagnetic interference）対策などの
ために、クロック信号などの信号線を最短配線したり、各部品の接続に何らかの条件を課
したい場合などがある。例えば、図１４に示したように、同じネットに存在するダイオー
ドＤ１、コンデンサＣ１、抵抗Ｒ１、及び抵抗Ｒ２のうち、ダイオードＤ１、コンデンサ
Ｃ１、及び抵抗Ｒ１は相互に近くなるように配置し、抵抗Ｒ２だけは他の部品（ダイオー
ドＤ１、コンデンサＣ１、及び抵抗Ｒ１）から遠くなるように配置したい（すなわち、抵
抗Ｒ２と他の部品とを結ぶラインの長さをある一定以上にしたい）場合がある。
【０００６】
しかしながら、回路図からでは各部品の接続先を把握することはできるが、各部品間の
接続条件（例えば、ある一定以上の長さを確保すること）などを把握することはできなか
った。そのため、このような接続条件を満たしたプリント基板を設計するには、プリント
基板設計者と回路図設計者との意志疎通が十分でないと難しかった。
【０００７】
プリント基板設計者と回路図設計者との意志疎通の向上を目的とした発明としては、例
えば、下記の特許文献１に開示されている発明が挙げられる。特許文献１には各部品間を
結ぶ信号線の属性として、配線制限を示す情報（例えば、制限寸法の最大値に関する情報
）を当該信号線に表示させることによって、信号線をどのような線として作成すべきかを
容易に把握することができるようにするといった技術が開示されている。図１６は、特許
文献１に記載されている発明の実施例に係る回路図作成の表示画面を示した図である。
【０００８】
このように、特許文献１に開示されている技術は、信号線をどのような線として作成す
べきかを容易に把握することができるようにしたもの、例えば、抵抗Ｒ１３９の１番ピン
、リアクタンスＬ１の１番ピン、振動子Ｘ１の４番ピン、及びコンデンサＣ２の２番ピン
を結ぶ信号線に長さ制限が課されていることを把握することができるようにしたものであ
る。
【０００９】
そのため、特許文献１に開示されている技術を採用することによって、例えば、図１４
に示したダイオードＤ１の２番ピン、コンデンサＣ１の２番ピン、抵抗Ｒ１の１番ピン、
及び抵抗Ｒ２の１番ピンを結ぶ信号線の長さに制限が課されている場合には、前記信号線
に長さ制限が課されていることを把握することができるようになる。
【００１０】
しかしながら、特許文献１に開示されている技術は、各部品間を結ぶ信号線の属性を示
すに過ぎないので、この技術を採用しても、例えば、同じネットに存在するダイオードＤ
１、コンデンサＣ１、抵抗Ｒ１、及び抵抗Ｒ２のうち、ダイオードＤ１、コンデンサＣ１
、及び抵抗Ｒ１は相互に近くなるように配置し、抵抗Ｒ２だけは他の部品（ダイオードＤ
１、コンデンサＣ１、及び抵抗Ｒ１）から遠くなるように配置すべきといった接続条件を
把握することはできない。
【特許文献１】特開平５−７３６３３号公報
【発明の開示】
【課題を解決するための手段及びその効果】
【００１１】
本発明は上記課題に鑑みなされたものであって、回路図設計者以外でも容易に各部品間
の接続条件などを把握することのできるようにする接続条件紹介システム、及び前記接続
条件を満たしたプリント基板の設計を支援するための設計支援システムを提供することを
目的としている。
【００１２】
上記目的を達成するために本発明に係る接続条件紹介システム（１）は、部品の接続条
件を紹介するための接続条件紹介システムにおいて、少なくとも３つの部品を結ぶ信号線
の交点とこれら部品との接続条件に関する情報を記憶するための接続条件記憶手段と、該
接続条件記憶手段に記憶されている接続条件に関する情報に基づいて、部品の接続条件を
使用者に紹介する接続条件紹介手段とを備えていることを特徴としている。
【００１３】
「背景技術」の項目でも説明したように、例えば、図１４に示したような回路図から、
回路図設計者以外の者（例えば、プリント基板設計者）であっても、ダイオードＤ１、コ
ンデンサＣ１、抵抗Ｒ１、及び抵抗Ｒ２と４つの部品が同じにネットに存在することを把
握することができる。
【００１４】
ところが、回路図設計者が同じネットに存在するダイオードＤ１、コンデンサＣ１、抵
抗Ｒ１、及び抵抗Ｒ２のうち、ダイオードＤ１、コンデンサＣ１、及び抵抗Ｒ１は相互に
近くなるように配置し、抵抗Ｒ２だけは他の部品（ダイオードＤ１、コンデンサＣ１、及
び抵抗Ｒ１）から遠くなるように配置したい（すなわち、抵抗Ｒ２と他の部品とを結ぶラ
インの長さをある一定以上にしたい）という意図を有していたとしても、回路図設計者以
外の者は回路図からだけではその意図を認識することはできない。そのため、このような
接続条件を満たしたプリント基板を設計するにはプリント基板設計者と回路図設計者との
意志疎通を十分に行う必要があった。
【００１５】
上記接続条件紹介システム（１）によれば、少なくとも３つの部品を結ぶ信号線の交点
とこれら部品との接続条件が使用者に紹介される。例えば、図１４に示したように、同じ
ネットにダイオードＤ１、コンデンサＣ１、抵抗Ｒ１、及び抵抗Ｒ２と４つの部品が存在
している場合に、交点ＱとダイオードＤ１との距離をＳ１以下にし、交点Ｑとコンデンサ
Ｃ１との距離をＳ１以下にし、交点Ｑと抵抗Ｒ１との距離をＳ１以下にし、交点Ｑと抵抗
Ｒ２との距離をＳ２（＞Ｓ１）以上にするといった接続条件を使用者（例えば、プリント
基板設計者）に紹介することができる。
【００１６】
これにより、プリント基板設計者は同じネットに存在するダイオードＤ１、コンデンサ
Ｃ１、抵抗Ｒ１、及び抵抗Ｒ２のうち、ダイオードＤ１、コンデンサＣ１、及び抵抗Ｒ１
は相互に近くなるように配置し、抵抗Ｒ２だけは他の部品（ダイオードＤ１、コンデンサ
Ｃ１、及び抵抗Ｒ１）から遠くなるように配置したい（すなわち、抵抗Ｒ２と他の部品と
を結ぶラインの長さをある一定以上にしたい）という回路図設計者の意図を認識すること
ができる。
【００１７】
また、本発明に係る接続条件紹介システム（２）は、上記接続条件紹介システム（１）
において、前記接続条件記憶手段が、前記交点以外の接続先との接続条件に関する情報に
ついても記憶し得るように構成されていることを特徴としている。
【００１８】
接続条件が設定されるのは、同じネットに３つ以上の部品が存在する場合だけでなく、
単に２つの部品が接続される場合や、別の部品に接続されるのではなく接地される場合な
どその他様々なケースが考えられる。上記接続条件紹介システム（２）によれば、前記接
続条件記憶手段が、前記交点（すなわち、少なくとも３つの部品を結ぶ信号線の交点）以
外の接続先との接続条件に関する情報についても記憶し得るように構成され、前記交点以
外の接続先との接続条件についても使用者に紹介することができる。そのため、プリント
基板設計者と回路図設計者との意志疎通を十分に行わなかったとしても、回路図設計者の
意図するプリント基板を設計することができ、設計の効率化を図ることができる。
【００１９】
また、本発明に係る接続条件紹介システム（３）は、上記接続条件紹介システム（１）
又は（２）において、接続条件を設定する箇所を選択するための第１の選択手段と、接続
条件を設定するための設定手段と、前記第１の選択手段により選択された箇所に対応づけ
て、前記設定手段により設定された接続条件に関する情報を前記接続条件記憶手段へ記憶
させる記憶制御手段とを備え、前記第１の選択手段による選択、及び前記設定手段による
設定が、使用者が操作可能な入力装置からの情報に基づいて行われるように構成されてい
ることを特徴としている。
【００２０】
上記接続条件紹介システム（３）によれば、前記第１の選択手段により選択された箇所
に対応づけて、前記設定手段により設定された接続条件に関する情報を前記接続条件記憶
手段へ記憶させることができ、また、前記第１の選択手段による選択、及び前記設定手段
による設定が、使用者（例えば、回路図設計者）が操作可能な入力装置からの情報に基づ
いて行われるように構成されている。
【００２１】
例えば、図１４に示したような回路図が表示された画面上において、回路図設計者がマ
ウスを操作することによって交点Ｑと抵抗Ｒ２とを結ぶ信号線を選択し、キーボードを操
作することによって距離をＳ２以上にするといった接続条件を設定すると、この信号線に
対応づけて、距離をＳ２以上にするといった接続条件に関する情報が前記接続条件記憶手
段に記憶されることになる。これにより、回路図設計者は自身の意図する接続条件に関す
る情報を前記接続条件記憶手段へ簡単な操作で、適切に記憶させることができる。
【００２２】
また、本発明に係る接続条件紹介システム（４）は、上記接続条件紹介システム（１）
〜（３）のいずれかにおいて、回路図上で接続条件が設定されている箇所と、接続条件が
設定されていない箇所とで表示の差別化を行う第１の表示手段を備えていることを特徴と
している。
【００２３】
上記接続条件紹介システム（４）によれば、回路図上で接続条件が設定されている箇所
と、接続条件が設定されていない箇所とで表示の差別化が行われる。これにより、プリン
ト基板設計者は回路図が表示された画面を参照するだけで、接続条件が設定されている箇
所を簡単に把握することができる。また、接続条件の設定し忘れがないかどうかの確認作
業も簡単に行うことができるようになり、回路図設計の効率を高めることができる。
【００２４】
また、本発明に係る接続条件紹介システム（５）は、上記接続条件紹介システム（４）
において、前記第１の表示手段が、接続条件が設定されている箇所の信号線上、又は該信
号線付近に第１の所定マークを表示するものであることを特徴としている。
【００２５】
上記接続条件紹介システム（５）によれば、接続条件が設定されている箇所の信号線上
、又は該信号線付近に前記第１の所定マーク（例えば、文字列、記号）が表示されること
によって、接続条件が設定されている箇所と、接続条件が設定されていない箇所とで表示
の差別化が行われる。これにより、使用者は一目で接続条件が設定されている箇所を発見
し、認識することができる。
【００２６】
また、本発明に係る接続条件紹介システム（６）は、上記接続条件紹介システム（４）
又は（５）において、前記第１の表示手段が、接続条件が設定されている箇所の信号線の
表示形態を、接続条件が設定されていない箇所の信号線の表示形態と異なるように表示す
るものであることを特徴としている。
【００２７】
上記接続条件紹介システム（６）によれば、接続条件が設定されている箇所の信号線の
表示形態が、接続条件が設定されていない箇所の信号線の表示形態と異なるように表示さ
れることによって、接続条件が設定されている箇所と、接続条件が設定されていない箇所
とで表示の差別化が行われる。例えば、接続条件が設定されている箇所の信号線を破線で
表示し、他方、接続条件が設定されていない箇所の信号線を実線で表示したり、又はこれ
ら信号線の表示色を変える。
【００２８】
これにより、使用者は一目で接続条件が設定されている箇所を発見し、認識することが
できる。また、上記接続条件紹介システム（５）と異なり、信号線上や該信号線付近にマ
ークを付加するのではないので、回路図上においてスペース的余裕がない場合に特に有効
となる。
【００２９】
また、本発明に係る接続条件紹介システム（７）は、上記接続条件紹介システム（４）
〜（６）のいずれかにおいて、前記第１の表示手段が、接続条件が設定されている各箇所
それぞれを識別するための識別符号を、各箇所それぞれの信号線上、又は該信号線付近に
表示するものであることを特徴としている。
【００３０】
上記接続条件紹介システム（７）によれば、接続条件が設定されている各箇所それぞれ
を識別するための識別符号（例えば、数字、アルファベット）が、各箇所それぞれの信号
線上、又は該信号線付近に表示される。例えば、図１４に示したような回路図上で、ダイ
オードＤ１の２番ピンと交点Ｑとを結ぶ信号線付近に「ＪＰ０１」と表示し、コンデンサ
Ｃ１の２番ピンと交点Ｑとを結ぶ信号線付近に「ＪＰ０２」と表示する。なお、ここでの
「ＪＰ」は前記第１の所定マークに相当する。
【００３１】
これにより、接続条件が設定されている各箇所を識別符号によって識別することが可能
になるので、例えば、後述する図６で示すように、接続条件がリスト表示されたものを参
照することによって、それぞれの箇所に設定されている接続条件を容易に把握することが
できるようになる。
【００３２】
また、本発明に係る接続条件紹介システム（８）は、上記接続条件紹介システム（１）
〜（７）のいずれかにおいて、接続条件を紹介する箇所を選択するための第２の選択手段
を備え、前記接続条件紹介手段が、前記第２の選択手段により選択された箇所に対応する
接続条件に関する情報を前記接続条件記憶手段から読み出し、読み出した情報に基づいて
前記箇所に対応する接続条件を使用者に紹介するものであり、前記第２の選択手段による
選択が、使用者が操作可能な入力装置からの情報に基づいて行われるように構成されてい
ることを特徴としている。
【００３３】
上記接続条件紹介システム（８）によれば、前記第２の選択手段により選択された箇所
に対応する接続条件に関する情報を前記接続条件記憶手段から読み出し、読み出した情報
に基づいて、前記箇所に対応する接続条件を使用者に紹介することができ、また、前記第
２の選択手段による選択が使用者（例えば、プリント基板設計者）が操作可能な入力装置
からの情報に基づいて行われるように構成されている。
【００３４】
例えば、図１４に示したような回路図が表示された画面上において、プリント基板設計
者がマウスを操作することによって交点Ｑと抵抗Ｒ２とを結ぶ信号線を選択すると、この
信号線に設定されている接続条件（例えば、距離をＳ２以上にすること）がプリント基板
設計者に紹介されることになる。これにより、プリント基板設計者は回路図設計者の意図
する接続条件を簡単な操作で、適切に把握することができる。
【００３５】
また、本発明に係る接続条件紹介システム（９）は、上記接続条件紹介システム（８）
において、前記入力装置がポインティングデバイスであり、回路図上で前記第２の選択手
段がポインタで示されている位置を、接続条件を紹介する箇所として選択するものである
ことを特徴としている。
【００３６】
上記接続条件紹介システム（９）によれば、接続条件の紹介を希望する箇所の選択に利
用するための前記入力装置として、ポインティングデバイス（例えば、マウス、トラック
パッド）を採用することができるため、日頃より使い慣れている入力装置で簡単かつスピ
ーディに前記箇所を選択することができる。これにより、プリント基板設計の作業効率を
高めることができる。
【００３７】
また、本発明に係る設計支援システム（１）は、プリント基板設計図上における部品の
配置状態を求める配置状態算出手段と、該配置状態算出手段により求められた部品の配置
状態、及び部品の配置条件に関する情報を記憶するための配置条件記憶手段に記憶されて
いる情報に基づいて、設計図上における部品の配置状態と部品の配置条件とを比較する比
較手段とを備えた、プリント基板の設計を支援するための設計支援システムにおいて、前
記配置状態算出手段が、上記接続条件紹介システム（１）〜（９）のいずれかに備えられ
た前記接続条件記憶手段に記憶されている、接続条件が設定されている箇所における接続
状態を求める機能を有し、前記比較手段が、前記箇所に設定されている接続条件と前記接
続状態とを比較する機能を有していることを特徴としている。
【００３８】
上記設計支援システム（１）によれば、上記接続条件紹介システム（１）〜（９）のい
ずれかに備えられた前記接続条件記憶手段に記憶されている、接続条件が設定されている
箇所における接続状態（例えば、少なくとも３つの部品を結ぶ信号線の交点と、これら各
部品との接続状態）が求められ、前記箇所に設定されている接続条件と求められた接続状
態とが比較される。
【００３９】
これにより、各箇所に設定されている接続条件が満足するかたちでプリント基板が設計
されているかどうかをチェックすることができる。また、単に適切／不適切という判断だ
けでなく、不適切な場合には適切でない理由（例えば、信号線が短いといったこと）につ
いても求めるようにしても良い。
【００４０】
また、本発明に係る設計支援システム（２）は、プリント基板の設計を支援するための
設計支援システムにおいて、プリント基板設計図上で、上記接続条件紹介システム（１）
〜（９）のいずれかに備えられた前記接続条件記憶手段に記憶されている、接続条件が設
定されている箇所に対応する位置と、前記箇所に対応しない位置とで表示の差別化を行う
第２の表示手段を備えていることを特徴としている。
【００４１】
上記設計支援システム（２）によれば、プリント基板設計図上で、接続条件が設定され
ている箇所に対応する位置と、前記箇所に対応しない位置とで表示の差別化が行われる。
これにより、プリント基板設計者はプリント基板設計図が表示された画面を参照するだけ
で、接続条件が設定されている箇所を簡単に把握することができる。これにより、前記箇
所が接続条件を満たすように設計されているかどうかの確認作業を効率良く行うことがで
きる。
【００４２】
また、本発明に係る設計支援システム（３）は、上記設計支援システム（２）において
、前記第２の表示手段が、接続条件が設定されている箇所に対応する位置の信号線上、又
は該信号線付近に第２の所定マークを表示するものであることを特徴としている。
【００４３】
上記設計支援システム（３）によれば、接続条件が設定されている箇所に対応する位置
の信号線上、又は該信号線付近に前記第２の所定マーク（例えば、文字列、記号）が表示
されることによって、接続条件が設定されている箇所と、接続条件が設定されていない箇
所とで表示の差別化が行われる。これにより、使用者（例えば、プリント基板設計者）は
一目で接続条件が設定されている箇所を発見し、認識することができる。
【００４４】
また、本発明に係る設計支援システム（４）は、上記設計支援システム（２）において
、前記第２の表示手段が、接続条件が設定されている箇所に接続される部品の端子上に第
３の所定マークを表示するものであることを特徴としている。
【００４５】
上記設計支援システム（４）によれば、後述する図１１に示すように、接続条件が設定
されている箇所に接続される部品の端子上に前記第３の所定マーク（例えば、文字列、記
号）が表示されることによって、接続条件が設定されている箇所と、接続条件が設定され
ていない箇所とで表示の差別化が行われる。これにより、使用者（例えば、プリント基板
設計者）は一目で接続条件が設定されている箇所を発見し、認識することができる。また
、前記第３の所定マークが前記部品の端子上に表示されるので、プリント基板設計図上に
おいてスペース的余裕があまりない場合に特に有効となる。
【００４６】
また、本発明に係る設計支援システム（５）は、上記設計支援システム（２）において
、前記第２の表示手段が、接続条件が設定されている箇所に接続される部品の端子から所
定の距離のところに第４の所定マークを表示するものであることを特徴としている。
【００４７】
上記設計支援システム（５）によれば、後述する図１２に示すように、接続条件が設定
されている箇所に接続される部品の端子から前記所定の距離のところに前記第４の所定マ
ーク（例えば、文字列、記号）が表示されることによって、接続条件が設定されている箇
所と、接続条件が設定されていない箇所とで表示の差別化が行われる。これにより、使用
者（例えば、プリント基板設計者）は一目で接続条件が設定されている箇所を発見し、認
識することができる。
【００４８】
従来のＣＡＤ装置ではプリント基板を設計する場合、例えば、抵抗Ｒ１を配置する設計
を行うときには、まず部品「抵抗Ｒ１」を指定すると、図１５に示したように部品「抵抗
Ｒ１」の外形と部品「抵抗Ｒ１」のプリント基板上への配置に必要となるランド１ｅ、１
ｆとが一緒に画面上に表示されるようになっている。プリント基板設計者は、部品「抵抗
Ｒ１」の外形とランド１ｅ、１ｆとが一緒に表示されたものを適切に配置し、別の部品と
信号線で繋ぐなどすることによって、プリント基板の設計を行っていく。
【００４９】
ところで、部品をプリント基板上に配置するとき、前記部品に接続される信号線の長さ
を一定距離以上確保しておく必要がある場合があるが、前記所定の距離を前記一定距離に
設定しておけば、前記第４の所定マークが消えないように注意して、別の部品などと繋ぐ
設計を行うだけで、前記部品に接続される信号線の長さを前記一定距離以上確保する設計
を行うことができる。これにより、プリント基板設計の作業効率を高めることができる。
【００５０】
また、本発明に係る設計支援システム（６）は、上記設計支援システム（２）において
、接続条件に設定されている箇所に接続される部品の接続先がバイアホールとなる場合、
前記第２の表示手段が、前記バイアホール上に第５の所定マークを表示するものであるこ
とを特徴としている。
【００５１】
上記設計支援システム（６）によれば、後述する図１３に示すように、接続条件が設定
されている箇所に接続される部品の接続先がバイアホールとなる場合、該バイアホール上
に前記第５の所定マーク（例えば、文字列、記号）が表示されることによって、接続条件
が設定されている箇所と、接続条件が設定されていない箇所とで表示の差別化が行われる
。これにより、使用者（例えば、プリント基板設計者）は一目で接続条件が設定されてい
る箇所を発見し、認識することができる。また、前記第５の所定マークが前記バイアホー
ル上に表示されるので、プリント基板設計図上においてスペース的余裕があまりない場合
に特に有効となる。
【００５２】
また、本発明に係る設計支援システム（７）は、上記設計支援システム（２）〜（６）
のいずれかにおいて、前記第２の表示手段が、接続条件が設定されている箇所に対応する
各位置それぞれを識別するための識別符号を、各位置それぞれの信号線上、又は該信号線
付近に表示するものであることを特徴としている。
【００５３】
上記設計支援システム（７）によれば、接続条件が設定されている箇所に対応する各位
置それぞれを識別するための識別符号（例えば、数字、アルファベット）が、各箇所それ
ぞれの信号線上、又は該信号線付近に表示される。例えば、図１５に示したような回路図
上で、ダイオードＤ１の２番ピンと交点Ｑとを結ぶ信号線付近に「ｊｐ０１」と表示し、
コンデンサＣ１の２番ピンと交点Ｑとを結ぶ信号線付近に「ｊｐ０２」と表示する。なお
、ここでの「ｊｐ」は前記第２の所定マークに相当する。
【００５４】
これにより、接続条件が設定されている箇所に対応する各位置を識別符号によって識別
することが可能になるので、例えば、接続条件がリスト表示されたものを参照することに
よって、それぞれの位置に設定されている接続条件を容易に把握することができるように
なる。
【００５５】
また、本発明に係る設計支援システム（８）は、上記設計支援システム（２）〜（７）
のいずれかにおいて、プリント基板設計図上における部品の配置状態を求める配置状態算
出手段と、該配置状態算出手段により求められた部品の配置状態、及び部品の配置条件に
関する情報を記憶するための配置条件記憶手段に記憶されている情報に基づいて、設計図
上における部品の配置状態と部品の配置条件とを比較する比較手段とを備え、前記配置状
態算出手段が、接続条件が設定されている箇所における接続状態を求める機能を有し、
前記比較手段が、前記箇所に設定されている接続条件と前記接続状態とを比較する機能
を有していることを特徴としている。
【００５６】
上記設計支援システム（８）によれば、上記接続条件紹介システム（１）〜（９）のい
ずれかに備えられた前記接続条件記憶手段に記憶されている、接続条件が設定されている
箇所における接続状態（例えば、少なくとも３つの部品を結ぶ信号線の交点と、これら各
部品との接続状態）が求められ、前記箇所に設定されている接続条件と求められた接続状
態とが比較される。
【００５７】
これにより、各箇所に設定されている接続条件が満足するかたちでプリント基板が設計
されているかどうかをチェックすることができる。また、単に適切／不適切という判断だ
けでなく、不適切な場合には適切でない理由（例えば、信号線が短いといったこと）につ
いても求めるようにしても良い。
【００５８】
また、本発明に係る設計支援システム（９）は、上記設計支援システム（１）又は（８
）において、前記比較手段による比較結果を使用者へ紹介する比較結果紹介手段を備えて
いることを特徴としている。
【００５９】
上記設計支援システム（９）によれば、前記比較手段による比較結果（すなわち、各箇
所に設定されている接続条件が満足するかたちでプリント基板が設計されているかどうか
や、接続条件が満足しない場合にはその理由など）が使用者（例えば、プリント基板設計
者）に紹介される。
【００６０】
これにより、プリント基板設計者は接続条件が満足しているかどうかや、満足していな
い場合にはその理由などを把握することができるため、設計図の修正の必要性の有無を把
握することができ、また修正の必要性が有る場合には修正の仕方についても把握すること
ができるため、設計図の修正作業の効率を高めることができる。
【００６１】
また、本発明に係る設計支援システム（１０）は、上記設計支援システム（９）におい
て、前記比較結果紹介手段が、テキスト出力することによって前記比較結果を使用者へ紹
介するものであることを特徴としている。
【００６２】
上記設計支援システム（１０）によれば、テキスト出力されることによって前記比較結
果が使用者（例えば、プリント基板設計者）に紹介される。すなわち、文字列や文書で前
記比較結果が紹介されるので、該比較結果を詳しく表現することができる。これにより、
使用者は前記比較結果を細かく理解することが可能となる。
【００６３】
また、本発明に係る設計支援システム（１１）は、上記設計支援システム（９）におい
て、前記比較結果紹介手段が、前記比較結果に基づいて、該比較結果を付してプリント基
板設計図を表示するものであることを特徴としている。
【００６４】
上記設計支援システム（１１）によれば、前記比較結果を付してプリント基板設計図が
表示される。例えば、接続条件が満たされている箇所と、接続条件が満たされていない箇
所とでは表示の差別化が行われる。これにより、使用者はプリント基板設計図が表示され
ている画面を参照するだけで、前記比較結果を把握することができる。
【発明を実施するための最良の形態】
【００６５】
以下、本発明に係る接続条件紹介システム、及び設計支援システムの実施の形態を図面
に基づいて説明する。
【００６６】
図１は、実施の形態（１）に係る接続条件紹介システムが採用された回路図作成装置の
要部を概略的に示したブロック図である。図中１１は回路図作成装置を示しており、回路
図作成装置１１はマイコン１２と、キーボード１６と、ポインティングデバイスであるマ
ウス１７と、ディスプレイ１８と、プリンタ１９とを含んで構成されている。
【００６７】
マイコン１２は各種処理制御を行う制御手段１３と、回路図設計者により設計された回
路図に関する情報（例えば、使用されている部品や、部品の接続先に関する情報）を記憶
するための回路図データ記憶手段１４と、部品の接続条件に関する情報を記憶するための
接続条件記憶手段１５とを含んで構成されている。
【００６８】
次に、実施の形態（１）に係る接続条件紹介システムが採用された回路図作成装置１１
におけるマイコン１２の行う処理動作［１］を、図２−ａ、図２−ｂに示したフローチャ
ートに基づいて説明する。なお、ここで説明する処理動作［１］は回路図の完成後（但し
、接続条件は設定されていない）に行う処理動作である。
【００６９】
まず、ディスプレイ１８に表示される回路図設計の画面（例えば、図１４に示したよう
な表示画面）上でいずれかの信号線が選択されたか否かを判断する（ステップＳ１）。信
号線の選択方法としては、マウス１７を操作することによって、所望の信号線のところま
でマウスポインタを移動させて、マウス１７をクリックするといった方法が挙げられる。
【００７０】
例えば、図１４に示したような回路図が表示された画面上で、ダイオードＤ１の１番ピ
ンとコネクターＣＮ１とを結ぶライン上、又はその付近にマウスポインタが移動している
ときに、マウス１７がクリックされると、ダイオードＤ１の１番ピンとコネクターＣＮ１
とを結ぶ線分が、使用者所望の信号線として選択される。
【００７１】
また、抵抗Ｒ２の１番ピンと交点Ｑとを結ぶライン上、又はその付近にマウスポインタ
が移動しているときに、マウス１７がクリックされると、抵抗Ｒ２の１番ピンと交点Ｑと
を結ぶ線分（すなわち、交点Ｑを一端部とする線分）が、使用者所望の信号線として選択
され、同じネットに存在するダイオードＤ１、コンデンサＣ１、抵抗Ｒ１、及び抵抗Ｒ２
を結ぶラインは、使用者所望の信号線としては選択されない。
【００７２】
ステップＳ１において、表示画面上でいずれかの信号線が選択されたと判断すれば、次
に選択された信号線の表示色を変更し、使用者（ここでは、回路図設計者）が自身の選択
した信号線を容易に把握することができるようにする（ステップＳ２）。例えば、接続条
件が設定されていない信号線の表示色が「黄色」ならば、選択された信号線の表示色を「
青色」に変更する。
【００７３】
次に、回路図設計開始時に０にリセットされるカウンタｃに１を加算し（ステップＳ３
）、その後、図３に示したような『接続条件設定』画面をディスプレイ１８に表示する（
ステップＳ４）。『接続条件設定』画面には、選択された信号線の識別番号（カウンタｃ
に対応している）が表示され、キーボード１６やマウス１７を操作することによって信号
線の種類や、長さの上限値／下限値を設定することができるようになっている。
【００７４】
次に、『接続条件設定』画面を通じて、接続条件が設定されて「決定」ボタンが選択さ
れたか否かを判断し（ステップＳ５）、「決定」ボタンが選択されたと判断すれば、次に
選択された信号線に対応づけて、接続条件に関する情報を接続条件記憶手段１５へ記憶さ
せる（ステップＳ６）。図４に、接続条件記憶手段１５における記憶フォーマットの一例
を示す。
【００７５】
その後、『接続条件設定』画面を消去して再び回路図を表示し（ステップＳ７）、接続
条件が設定された信号線の表示色を「黄色」に戻して（ステップＳ８）、当該信号線上に
所定のマーク「◇」を表示すると共に、当該信号線付近に符号「ＪＰ」と識別番号とを表
示することによって、当該信号線に接続条件が設定されていることを使用者が容易に把握
することができるようにし（ステップＳ９、Ｓ１０）、その後ステップＳ１５（図２−ｂ
）へ進む。図５に、回路図上に所定のマーク「◇」、符号「ＪＰ」、及び識別番号が表示
された状態の一例を示す。
【００７６】
一方、ステップＳ５において、「決定」ボタンが選択されていないと判断すれば、次に
「取消」ボタンが選択されたか否かを判断し（ステップＳ１１）、「取消」ボタンが選択
されたと判断すれば、次にカウンタｃから１を減算し（ステップＳ１２）、『接続条件設
定』画面を消去して再び回路図を表示し（ステップＳ１３）、接続条件が設定された信号
線の表示色を「黄色」に戻して（ステップＳ１４）、その後ステップＳ１５（図２−ｂ）
へ進む。また、ステップＳ１１において、「取消」ボタンが選択されていないと判断すれ
ば、ステップＳ５へ戻る。
【００７７】
ステップＳ１５（図２−ｂ）では、カウンタｃが１以上であるか否かを判断し、カウン
タｃが１以上である（すなわち、接続条件が設定されている信号線が存在する）と判断す
れば、次に接続条件が設定されている信号線上、又は該信号線付近にマウスポインタが存
在するか否かを判断する（ステップＳ１６）。
【００７８】
接続条件が設定されている信号線上、又は該信号線付近にマウスポインタが存在すると
判断すれば、次に当該信号線に設定されている接続条件に関する情報を接続条件記憶手段
１４から読み出し（ステップＳ１７）、読み出した情報に基づいて、当該信号線に設定さ
れている接続条件を表示する（ステップＳ１８）。
【００７９】
次に、マウスポインタが当該信号線付近から離れたか否かを判断し（ステップＳ１９）
、マウスポインタが当該信号線付近から離れたと判断すれば、表示していた接続条件を画
面上から消去して（ステップＳ２０）、処理動作［１］を終了する。一方、マウスポイン
タは当該信号線付近から離れていないと判断すれば、ステップＳ１９へ戻る。
【００８０】
また、ステップＳ１５において、カウンタｃが１以上でない（すなわち、カウンタｃは
０であり、接続条件が設定されている信号線は存在しない）と判断すれば、ステップＳ１
６以降の処理動作を行う必要がないため、そのまま処理動作［１］を終了する。また、ス
テップＳ１６において、接続条件が設定されている信号線上、又は該信号線付近にマウス
ポインタが存在しないと判断した場合にも、そのまま処理動作［１］を終了する。
【００８１】
上記実施の形態（１）に係る接続条件紹介システムが採用された回路図作成装置によれ
ば、少なくとも３つの部品を結ぶ信号線の交点とこれら部品との接続条件が使用者に紹介
される。例えば、図４、図５に示したように、同じネットにダイオードＤ１、コンデンサ
Ｃ１、抵抗Ｒ１、及び抵抗Ｒ２と４つの部品が存在している場合に、交点Ｑとダイオード
Ｄ１との距離をＳ１以下にし、交点ＱとコンデンサＣ１との距離をＳ１以下にし、交点Ｑ
と抵抗Ｒ１との距離をＳ１以下にし、交点Ｑと抵抗Ｒ２との距離をＳ２（＞Ｓ１）以上に
するといった接続条件を使用者（例えば、プリント基板設計者）に紹介することができる
。
【００８２】
これにより、プリント基板設計者は同じネットに存在するダイオードＤ１、コンデンサ
Ｃ１、抵抗Ｒ１、及び抵抗Ｒ２のうち、ダイオードＤ１、コンデンサＣ１、及び抵抗Ｒ１
は相互に近くなるように配置し、抵抗Ｒ２だけは他の部品（ダイオードＤ１、コンデンサ
Ｃ１、及び抵抗Ｒ１）から遠くなるように配置したい（すなわち、抵抗Ｒ２と他の部品と
を結ぶラインの長さをある一定以上にしたい）という回路図設計者の意図を認識すること
ができる。
【００８３】
また、回路図上で接続条件が設定されている箇所と、接続条件が設定されていない箇所
とで表示の差別化が行われる。これにより、プリント基板設計者は回路図が表示された画
面を参照するだけで、接続条件が設定されている箇所を簡単に把握することができる。ま
た、接続条件の設定し忘れがないかどうかの確認作業も簡単に行うことができるようにな
り、回路図設計の効率を高めることができる。
【００８４】
なお、上記実施の形態（１）に係る接続条件紹介システムが採用された回路図作成装置
では、回路図上に接続条件が設定されている信号線上、又は該信号線付近に所定のマーク
「◇」や符号「ＪＰ」、識別番号を付すことによって、接続条件が設定されていない箇所
と区別することができるようにしているが、別の実施の形態では、接続条件が設定されて
いる信号線の表示形態と、接続条件が設定されていない信号線の表示形態とが異なるよう
にしても良い。例えば、接続条件が設定されていない信号線を実線や黄色で表示するのに
対し、接続条件が設定されている信号線については破線や赤色で表示する。
【００８５】
また、上記実施の形態（１）に係る接続条件紹介システムが採用された回路図作成装置
では、信号線に設定されている接続条件の紹介をディスプレイ１８に表示することによっ
て行っているが、別の実施の形態では、接続条件記憶手段１５に記憶されている情報に基
づいて、図６に示したように、プリンタ１９から接続条件に関する情報をリストにして出
力するようにしても良い。
【００８６】
図７は、実施の形態（２）に係る設計支援システムが採用されたプリント基板設計図作
成装置の要部を概略的に示したブロック図である。なお、ここでは図１に示した回路図作
成装置と同様の構成部分について同符号を付している。図中２１はプリント基板設計図作
成装置を示しており、プリント基板設計図作成装置２１はマイコン２２と、キーボード１
６と、ポインティングデバイスであるマウス１７と、ディスプレイ１８と、プリンタ１９
とを含んで構成されている。
【００８７】
マイコン２２は各種処理制御を行う制御手段２３と、回路図設計者により設計された回
路図に関する情報などを記憶するための回路図データ記憶手段１４と、部品の接続条件に
関する情報を記憶するための接続条件記憶手段１５と、プリント基板設計者により設計さ
れたプリント基板設計図に関する情報（例えば、使用されている部品や、部品の配置位置
、各部品相互の接続関係に関する情報）を記憶するための設計図データ記憶手段２４と、
回路図設計者により設計された回路図、及び回路図設計者により設定された接続条件と、
プリント基板設計者により設計されたプリント基板設計図との比較結果を記憶するための
比較結果記憶手段２５とを含んで構成されている。
【００８８】
次に、実施の形態（２）に係る設計支援システムが採用されたプリント基板設計図作成
装置２１におけるマイコン２２の行う処理動作［２］を、図８−ａ、図８−ｂに示したフ
ローチャートに基づいて説明する。なお、ここで説明する処理動作［２］はプリント基板
設計図が回路図設計者によって設計された回路図に合うように設計された後（但し、回路
図設計者によって設定された接続条件が満たされているとは限らない）に行う処理動作で
ある。
【００８９】
まず、接続条件が設定されている箇所について、前記接続条件を満たしているか否かの
確認処理が全て終了したことを示すフラグｆが１であるか否かを判断し（ステップＳ２１
）、フラグｆが１でないと判断すれば、次にカウンタｎを１にし（ステップＳ２２）、カ
ウンタｎに基づいて、接続条件記憶手段１５に識別番号ｎが付されている信号線に対する
情報が存在するか否かを判断する（ステップＳ２３）。
【００９０】
接続条件記憶手段１５に識別番号ｎが付されている信号線に対する情報が存在すると判
断すれば、接続条件記憶手段１５から当該信号線に対する接続条件等に関する情報、すな
わち当該信号線の端部（１）、端部（２）、種類、上限値、下限値に関する情報を読み出
し（ステップＳ２４）、読み出した端部（１）、端部（２）に関する情報に基づいて、デ
ィスプレイ１８に表示されているプリント基板設計図上において、当該信号線上に所定の
マーク「○を半分塗りつぶしたもの」を表示すると共に、当該信号線付近に符号「ｊｐ」
と識別番号とを表示することによって、当該信号線に接続条件が設定されていることを使
用者（ここでは、プリント基板設計者）が容易に把握することができるようにする（ステ
ップＳ２５、Ｓ２６）。図９に、プリント基板設計図上に所定のマーク「○を半分塗りつ
ぶしたもの」、符号「ｊｐ」、及び識別番号が表示された状態の一例を示す。
【００９１】
次に、設計図データ記憶手段２４に記憶されている情報に基づいて、当該信号線のプリ
ント基板設計図上における接続状態を求め（ステップＳ２７）、求めた接続状態と当該信
号線に設定されている接続条件とを比較し（ステップＳ２８）、プリント基板設計図上に
おける当該信号線の接続状態が適切であるか否かを判断する（ステップＳ２９）。
【００９２】
プリント基板設計図上における当該信号線の接続状態が適切であると判断すれば、次に
カウンタｎに１を加算し（ステップＳ３０）、その後ステップＳ２３へ戻る。一方、プリ
ント基板設計図上における当該信号線の接続状態が適切でないと判断すれば、次に当該信
号線に対応づけて、当該信号線に設定されている接続条件に関する情報を比較結果記憶手
段２５へ記憶させる（ステップＳ３１）。図１０に、比較結果記憶手段２５における記憶
フォーマットの一例を示す。
【００９３】
次に、当該信号線の表示色を変更し、使用者（ここでは、プリント基板設計者）が当該
信号線に設定されている接続条件が満たされていないことを容易に把握することができる
ようにし（ステップＳ３２）、カウンタｎに１を加算し（ステップＳ３０）、その後ステ
ップＳ２３へ戻る。例えば、接続条件が満たされている、又は接続条件が設定されていな
い信号線の表示色が「黄色」ならば、接続条件が満たされていない信号線の表示色を「赤
色」に変更する。
【００９４】
ステップＳ２３において、接続条件記憶手段１５に識別番号ｎが付されている信号線に
対する情報が存在しない、すなわち接続条件が設定されている全ての箇所の確認処理を終
了したと判断すれば、次にフラグｆを１にして（ステップＳ３３）、その後ステップＳ３
４（図８−ｂ）へ進む。また、ステップＳ２１において、フラグｆが１と判断した場合に
もステップＳ３４へ進む。
【００９５】
ステップＳ３４では、接続条件が満たされていない信号線（すなわち、赤色で表示され
ている信号線）上、又は該信号線付近にマウスポインタが存在するか否かを判断し、接続
条件が満たされていない信号線上、又は該信号線付近にマウスポインタが存在すると判断
すれば、次に当該信号線に設定されている接続条件に関する情報を比較結果記憶手段２５
から読み出し（ステップＳ３５）、読み出した情報に基づいて、当該信号線に設定されて
いる接続条件を表示する（ステップＳ３６）。
【００９６】
次に、マウスポインタが当該信号線付近から離れたか否かを判断し（ステップＳ３７）
、マウスポインタが当該信号線付近から離れたと判断すれば、表示していた接続条件を画
面上から消去して（ステップＳ３８）、処理動作［２］を終了する。一方、マウスポイン
タは当該信号線付近から離れていないと判断すれば、ステップＳ３７へ戻る。また、ステ
ップＳ３４において、接続条件が満たされていない信号線上、又は該信号線付近にマウス
ポインタが存在しないと判断すれば、そのまま処理動作［２］を終了する。
【００９７】
上記実施の形態（２）に係る設計支援システムが採用されたプリント基板設計図作成装
置によれば、接続条件記憶手段１５に記憶されている、接続条件が設定されている箇所に
おける接続状態（例えば、少なくとも３つの部品を結ぶ信号線の交点と、これら各部品と
の接続状態）が求められ、前記箇所に設定されている接続条件と求められた接続状態とが
比較されるので、各箇所に設定されている接続条件が満足するかたちでプリント基板が設
計されているかどうかをチェックすることができる。
【００９８】
なお、上記実施の形態（２）に係る設計支援システムが採用されたプリント基板設計図
作成装置では、設定条件が設定されていることを示す所定のマークを信号線上に表示する
ようにしているが、別の実施の形態では、例えば、図１１に示したように、部品の端子上
に所定のマークを表示するようにしたり、図１２に示したように、部品の端子から所定の
距離のところに所定のマークを表示するようにしたり、また、部品（例えば、コンデンサ
Ｃ１）の接続先がバイアホールとなる場合（例えば、バイアホールに接続されて別のグラ
ウンド層に接続されるような場合）、図１３に示したように、所定のマークをバイアホー
ル上に表示するようにしても良い。
【００９９】
また、上記実施の形態（２）に係る設計支援システムが採用されたプリント基板設計図
作成装置では、回路図設計者によって設計された接続条件を満足するかたちでプリント基
板が設計されているか否かの比較結果をディスプレイ１８に表示することによって行って
いるが、別の実施の形態では、比較結果記憶手段２５に記憶されている情報に基づいて、
プリンタ１９から比較結果に関する情報をリストにして出力するようにしても良い。
【図面の簡単な説明】
【０１００】
【図１】本発明の実施の形態（１）に係る接続条件紹介システムが採用された回路図作成装置の要部を概略的に示したブロック図である。
【図２−ａ】実施の形態（１）に係る接続条件紹介システムが採用された回路図作成装置におけるマイコンの行う処理動作を示したフローチャートである。
【図２−ｂ】実施の形態（１）に係る接続条件紹介システムが採用された回路図作成装置におけるマイコンの行う処理動作を示したフローチャートである。
【図３】実施の形態（１）に係る接続条件紹介システムが採用された回路図作成装置におけるディスプレイに表示される操作画面の一例を示した図である。
【図４】実施の形態（１）に係る接続条件紹介システムが採用された回路図作成装置を構成するマイコンの接続条件記憶手段における記憶フォーマットの一例を示した図である。
【図５】実施の形態（１）に係る接続条件紹介システムが採用された回路図作成装置におけるディスプレイに表示される回路図の表示画面の一例を示した図である。
【図６】別の実施の形態に係る接続条件紹介システムが採用された回路図作成装置におけるプリンタから出力される出力結果の一例を示した図である。
【図７】実施の形態（２）に係る設計支援システムが採用されたプリント基板設計図作成装置の要部を概略的に示したブロック図である。
【図８−ａ】実施の形態（２）に係る設計支援システムが採用されたプリント基板設計図作成装置におけるマイコンの行う処理動作を示したフローチャートである。
【図８−ｂ】実施の形態（２）に係る設計支援システムが採用されたプリント基板設計図作成装置におけるマイコンの行う処理動作を示したフローチャートである。
【図９】実施の形態（２）に係る設計支援システムが採用されたプリント基板設計図作成装置におけるディスプレイに表示されるプリント基板設計図の表示画面の一例を示した図である。
【図１０】実施の形態（２）に係る設計支援システムが採用されたプリント基板設計図作成装置を構成するマイコンの比較結果記憶手段における記憶フォーマットの一例を示した図である。
【図１１】別の実施の形態に係る設計支援システムが採用されたプリント基板設計図作成装置におけるディスプレイに表示されるプリント基板設計図の表示画面の一例を示した図である。
【図１２】別の実施の形態に係る設計支援システムが採用されたプリント基板設計図作成装置におけるディスプレイに表示されるプリント基板設計図の表示画面の一例を示した図である。
【図１３】別の実施の形態に係る設計支援システムが採用されたプリント基板設計図作成装置におけるディスプレイに表示されるプリント基板設計図の表示画面の一例を示した図である。
【図１４】従来のＣＡＤ装置における回路図設計の表示画面の一例を部分的に示した図である。
【図１５】従来のＣＡＤ装置におけるプリント基板設計の表示画面の一例を部分的に示した図であり、図１４に示した回路図のネットデータに基づいて設計されたプリント基板設計図が示されている。
【図１６】特許文献１に記載されている発明の実施例に係る回路図作成の表示画面を示した図である。
【符号の説明】
【０１０１】
１１  回路図作成装置
１２、２２  マイコン
１３、２３  制御手段
１４  回路図データ記憶手段
１５  接続条件記憶手段
１６  キーボード
１７  マウス
１８  ディスプレイ
１９  プリンタ
２１  プリント基板設計図作成装置
２４  設計図データ記憶手段
２５  比較結果記憶手段
【図１】
2005070902.tif 000003
【図２−ａ】
2005070902.tif 000004
【図２−ｂ】
2005070902.tif 000005
【図３】
2005070902.tif 000006
【図４】
2005070902.tif 000007
【図５】
2005070902.tif 000008
【図６】
2005070902.tif 000009
【図７】
2005070902.tif 000010
【図８−ａ】
2005070902.tif 000011
【図８−ｂ】
2005070902.tif 000012
【図９】
2005070902.tif 000013
【図１０】
2005070902.tif 000014
【図１１】
2005070902.tif 000015
【図１２】
2005070902.tif 000016
【図１３】
2005070902.tif 000017
【図１４】
2005070902.tif 000018
【図１５】
2005070902.tif 000019
【図１６】
2005070902.tif 000020